(57)【要約】【課題】縦材が配設されていない部分に左右接合部が配される外壁板を充分な強度で留め付けるとともに左右のズレを防止することができ、さらに胴縁を用いずに通気層を確保でき、耐久性にも優れた留め付け部材およびこれを用いた外壁施工構造を提供すること。【解決手段】留め付け部材１は、すくなくとも１本の縦材２１に固定される長尺固定板部１１を有する。長尺固定板部１１の前面には、外壁板３の左右接合部３９における上端部およびその上の外壁板の下端部を支承するとともに係止するための第１留め付け部１２と、第１留め付け部１２の下方において左右接合部に配されるズレ防止の垂直立設部１３と、左右接合部３９以外の部分における外壁板の上端部を係止し下端部を支承するとともに係止するための第２留め付け部１４とを有する。各留め付け部には、長尺固定板部１１との間に通気スペーサーを備え、充分な通気層を確保することができる。【選択図】図１
0003126444.tif 000002
【実用新案登録請求の範囲】
【請求項１】
建築物の構造躯体における縦材の配設されていない部分に左右接合部が配される外壁板を該構造躯体に留め付けるための留め付け部材であって、
少なくとも１本の縦材に固定される長尺固定板部と、
長尺固定板部の前面に、外壁板の左右接合部の上端部およびその上の外壁板の下端部を支承し係止するための留め付け金具を有する第１留め付け部と、
該第１留め付け部の下方の外壁板の左右接合部に配されるズレ防止のための垂直立設部と、を備え、
かつ、該長尺固定板部の前面に、該左右接合部以外の部分の外壁板の上端部を係止し下端部を支承し係止するための留め付け金具を有する第２留め付け部と、
第１留め付け部および第２留め付け部に、該長尺固定板部とそれぞれの留め付け金具の間に挟持される通気スペーサーと、を
備えていることを特徴とする留め付け部材。
【請求項２】
前記通気スペーサーは、略矩形状の金属板の各辺から後方へ直角に屈曲した屈曲部と、略中央部に開口部を有し、さらに、該屈曲部には該金属板を局部的に変形してなる補強用リブと、該開口部に補強用突出部を有することを特徴とする請求項１記載の留め付け部材。
【請求項３】
前記通気スペーサーは、前記屈曲部に排水孔を有することを特徴とする請求項２記載の留め付け部材。
【請求項４】
前記長尺固定板部の開口部周辺が隆起して形成されており、該開口部に対して、前記通気スペーサーの開口部と前記個々の留め付け金具の開口部とが重ね合わされ、さらに、
通気スペーサーの屈曲部および補強用突出部の端部が、該長尺固定板部に当接されるとともに、該通気スペーサーに該留め付け金具が当接された状態でもって、
前記長尺固定板部における開口部周辺の隆起部が個々の留め付け金具の開口部より前方へ突き出されており、この突き出された部分が個々の留め付け金具の前面において後方へ折り曲げられ長尺固定板部の前面部に圧着されることにより、通気スペーサーと個々の留め付け金具とが長尺固定板部に一体となり固定されていることを
特徴とする請求項２または請求項３記載の留め付け部材。
【請求項５】
前記第１留め付け部は、前記長尺固定板部の一部が切り欠き折り曲げ加工された複数の切り起こし部を有し、前記留め付け金具が切り起こし部に直接当接状態で載置されていることを特徴とする請求項４記載の留め付け部材。
【請求項６】
前記第１留め付け部は、長尺固定板部の一方の端部に設けてあり、前記第２留め付け部は、長尺固定板部の他方の端部に設けてあることを特徴とする請求項１から請求項３記載の留め付け部材。
【請求項７】
前記留め付け部材は、さらに、第２留め付け部と同様の形状および機能を有する第３留め付け部を有することを特徴とする請求項１または請求項６記載の留め付け部材。
【請求項８】
前記第１留め付け部を構成する留め付け金具は、ズレ防止の垂直立設部を一体成形したズレ防止用ストッパー付き留め付け金具であることを特徴とする請求項１または請求項７記載の留め付け部材。
【請求項９】
前記長尺固定板部は、前方へ隆起したリブ部を左右方向に形成してなるとともに、長尺固定板部の下辺から前方へ屈曲した下辺屈曲部を形成してなることを特徴とする請求項１または請求項８記載の留め付け部材。
【請求項１０】
請求項１から請求項９記載の前記留め付け部材を使用したことを特徴とする外壁施工構造。
【請求項１１】
前記構造躯体は、縦材の配設スパンを５００〜６１０ｍｍとし、長尺固定板部は５４０〜６５０ｍｍの左右長さを有することを特徴とする請求項１０記載の外壁施工構造。
【考案の詳細な説明】
【技術分野】
【０００１】
本考案は、建築物の構造躯体における縦材の配設されていない部分に左右接合部が配される外壁板を上記構造躯体に留め付けるための、留め付け部材およびこれを用いた外壁施工構造に関する。
【背景技術】
【０００２】
従来より、建築物の構法として軸組構法が採用されているが、この軸組構法においては、通常、胴縁下地組が４５５ｍｍのモデュールとして組まれる。具体的には、胴縁が施工される柱と間柱との間隔を４５５ｍｍとする。これは、日本の木造戸建て住宅建築分野において多く採用されている基準寸法である。
これにともない、留め付ける外壁板の製品寸法も、上記胴縁下地組の基準寸法に合わせて、４５５ｍｍの整数倍（一例を示すと４５５ｍｍ×４＝１８２０ｍｍ）の横幅寸法になるように設計、製造されている。
【０００３】
しかし、近年、柱と間柱の間隔が、上記の基準寸法４５５ｍｍとは異なる設計、一例をあげれば、メーターモデュールとしての５００ｍｍや、２４インチ（６１０ｍｍ）などが採用される場合も多い。このような場合に、上記外壁板を柱、間柱に固定すると、上記外壁板の左右端部を柱、間柱上に配置することができない部分が形成されてしまう。この部分は、柱、間柱などの構造躯体によって支持されないため、構造躯体に対する外壁板の固定力を充分に確保できないおそれがある。
かかる問題の解決方法として、特開２００６−３７５６７号公報には、留め付け部材及びこれを用いた外壁施工構造並びに外壁施工方法が開示されている。そこには、図１５に示すように、縦材（柱、間柱）２１に固定される留め付け部材９を用いて、外壁板を構造躯体２に留め付ける技術が提案されている。
【０００４】
この留め付け部材９は、図１５に示すように、すくなくとも１本の縦材２１に固定される長尺固定板部１１を有し、長尺固定板部１１の前面左端部には、外壁板の左右接合部における上端部を係止し、かつ、その上に配される外壁板の下端部を支承するとともに係止するための第１留め付け部１２と、第１留め付け部１２の下方において上記左右接合部に配されるズレ防止の垂直立設部１３とを備え、長尺固定板部１１の前面右端部には外壁板の上端部を係止し、かつ、その上に配される外壁板の下端部を支承するとともに係止するための第２留め付け部１４とを備えている。
【０００５】
そして、上記留め付け部材９のズレ防止の垂直立設部１３を左側に配される外壁板の右側端部に当接させ、隣接する外壁板の左右接続部の上辺部および下辺部に配し、上記第１留め付け部１２と第２留め付け部１４とによって下側の２枚の外壁板と上側の２枚の外壁板を係止する。
このとき、上記留め付け部材９は、上記縦材２１に対して釘（くぎ）９１で固定される。
【０００６】
しかしながら、図１３に示すように、透湿防水シート７を挟んで縦材２１に留め付け部材９を固定すると、施工のばらつきに起因して透湿防水シートがうねったりして、外壁板３の裏側面３６と透湿防水シート７との間に形成される空間、すなわち通気層８を充分に確保することができなくなるという問題がある。
ここで、透湿防水シート７は、通気層８内に浸入した雨水や外壁板３の裏側面３６に発生した結露水を後方へ（建物内部へ）浸入させずに下方へ排出させる防水層となるものであり、かつ、室内（建物内部）で発生した水蒸気を前方へ（通気層８内へ）流動させることが可能な透湿層にもなっている。
図に示すように、透湿防水シート７がたるんで張設されていると、通気層８がふさがり、通気層８内の湿気が上方に移動する空間が確保されなくなることにより通気層８内に湿気が滞留する。また同様に、通気層８に浸入した雨水や結露水が下方に流れ落ちて屋外へ排出されにくくなり、通気層８内に水が滞留する。これらの湿気・水の滞留によって、外壁板３の裏側面３６が吸湿・吸水し、その結果、外壁板３の反りや伸縮といった不具合の発生をまねくという問題がある。この問題は、特に、窯業系外壁板において深刻である。
【０００７】
一方、図１４に示すように、通気層８を充分に確保するためには、留め付け部材９と胴縁２２を併用する構造が考えられる。この構造では、縦材２１に対して透湿防水シート７と胴縁２２を挟んで留め付け部材９が固定され、上下方向に固定されている胴縁２２の部分を除いて、透湿防水シート７と外壁板３の裏側面３６との間には充分な通気層８が確保されている。しかし、留め付け部材９を固定する前に、あらかじめ縦材２１に胴縁２２を固定させる必要がある。そのため、作業工数が多くなり、材料費も高くなるという問題がある。すなわち、施工するに当たっては、規格寸法の胴縁２２を多数用意する必要があり、さらに胴縁２２を縦材２１に釘などを用いて固定するという作業工程が必要となる。
【特許文献１】特開２０００−２９１２２５号公報
【特許文献２】特開２００６−３７５６７号公報
【考案の開示】
【考案が解決しようとする課題】
【０００８】
本考案は、上述した従来の問題点を解決するためになされたものであり、胴縁を用いずに充分な通気層を確保し、かつ縦材の配設されていない部分に左右接合部が配される外壁板を充分な強度で留め付けるとともに左右の‘ずれ’を防止することを一作業工程でできる留め付け部材およびこれを用いた外壁施工構造を提供することを目的としている。
【課題を解決するための手段】
【０００９】
本考案の上記目的は、建築物の構造躯体における縦材の配設されていない部分に左右接合部が配される外壁板を該構造躯体に留め付けるための留め付け部材であって、
少なくとも１本の縦材に固定される長尺固定板部と、
長尺固定板部の前面に、外壁板の左右接合部の上端部およびその上の外壁板の下端部を支承し係止するための留め付け金具を有する第１留め付け部と、
該第１留め付け部の下方の外壁板の左右接合部に配されるズレ防止のための垂直立設部と、を備え、
かつ、該長尺固定板部の前面に、該左右接合部以外の部分の外壁板の上端部を係止し下端部を支承し係止するための留め付け金具を有する第２留め付け部と、
第１留め付け部および第２留め付け部に、該長尺固定板部とそれぞれの留め付け金具の間に挟持される通気スペーサーと、を
備えていることを特徴とする留め付け部材により達成される。
【００１０】
また、本考案の上記目的は、さらに、前記通気スペーサーが、略矩形状の金属板の各辺から後方へ直角に屈曲した屈曲部と、略中央部に開口部を有し、さらに、該屈曲部には該金属板を局部的に変形してなる補強用リブと、該開口部には補強用突出部を有することを特徴とする留め付け部材により、より効果的に達成される。
【００１１】
また、本考案の上記目的は、前記通気スペーサーが、屈曲部に排水孔を有することを特徴とする留め付け部材により、さらに効果的に達成される。
【００１２】
また、本考案の上記目的は、
前記長尺固定板部の開口部周辺が隆起して形成されており、該開口部に対して、前記通気スペーサーの開口部と前記個々の留め付け金具の開口部とが重ね合わされ、さらに、
通気スペーサーの屈曲部および補強用突出部の端部が、該長尺固定板部に当接されるとともに、該通気スペーサーに該留め付け金具が当接された状態でもって、
前記長尺固定板部における開口部周辺の隆起部が個々の留め付け金具の開口部より前方へ突き出されており、この突き出された部分が個々の留め付け金具の前面において後方へ折り曲げられ長尺固定板部の前面部に圧着されることにより、通気スペーサーと個々の留め付け金具とが長尺固定板部に一体となり固定されていることを
特徴とする留め付け部材により、さらに効果的に達成される。
【００１３】
また、本考案の上記目的は、前記第１留め付け部が、前記長尺固定板部の一部が切り欠き折り曲げ加工された複数の切り起こし部を有し、前記留め付け金具が切り起こし部に直接当接状態で載置されていることを特徴とする留め付け部材により、さらに効果的に達成される。
【００１４】
また、本考案の上記目的は、前記第１留め付け部が、長尺固定板部の一方の端部に設けてあり、前記第２留め付け部が、長尺固定板部の他方の端部に設けてあることを特徴とする留め付け部材により、さらに効果的に達成される。
【００１５】
また、本考案の上記目的は、前記留め付け部材が、さらに、第２留め付け部と同様の形状および機能を有する第３留め付け部を有することを特徴とする留め付け部材により、さらに効果的に達成される。
【００１６】
また、本考案の上記目的は、前記第１留め付け部を構成する留め付け金具が、ズレ防止の垂直立設部を一体成形したズレ防止用ストッパー付き留め付け金具であることを特徴とする留め付け部材により、さらに効果的に達成される。
【００１７】
また、本考案の上記目的は、前記長尺固定板部が、前方へ隆起したリブ部を左右方向に形成してなるとともに、長尺固定板部の下辺から前方へ屈曲した下辺屈曲部を形成してなることを特徴とする留め付け部材により、さらに効果的に達成される。
【００１８】
また、本考案の上記目的は、前記留め付け部材を使用したことを特徴とする外壁施工構造により、さらに効果的に達成される。
【００１９】
また、本考案の上記目的は、前記構造躯体が、縦材の配設スパンを５００〜６１０ｍｍとし、長尺固定板部が５４０〜６５０ｍｍの左右長さを有することを特徴とする外壁施工構造により、さらに効果的に達成される。
【考案の効果】
【００２０】
本考案の留め付け部材およびこれを用いた外壁施工構造によれば、通気層を設けるための胴縁を構造躯体にあらかじめ留め付けるという作業が不要になり、作業能率を上げることができる。また、胴縁が不要であるので、材料費が大幅に低減される。さらに、留め付け部材にあらかじめ設けられた通気スペーサーによって、充分な通気層を確保することができ、かつ施工構造や施工位置に制約があって、構造躯体である縦材の配設されていない部分に外壁板の左右接合部が配され、外壁板の左右接合部分を縦材に留め付けることが困難な場合においても、縦材の配設されていない部分に左右接合部が配される外壁板を充分な強度で留め付けることができる。また、通気スペーサーの独自の形状により、外壁板に伝達された風圧力などの外力を、通気スペーサーを介して円滑に構造躯体である縦材に伝達することができる。なおかつ、外壁板の左右の‘ずれ’を防止することができる。さらに、外壁板の左右接合部の上端部において、左右に隣り合う外壁板の上端部に留め付け部材を配するとき、留め付け部材をそれぞれの外壁板の上端部に同時に当接させることによって外壁板を左右一直線状にそろえながら、外壁板を係止することができる。それゆえ、左右に隣り合う外壁板どうしの水平方向の目地のズレを低減することができ、外壁の仕上げについて、美観を向上させることができる。また、上記の外壁板の上側に配される外壁板の下端部において、留め付け部材が外壁板の下端部を水平方向に直線状に支承することによって、構造躯体や複数ある縦材相互の前後方向の不陸の影響を低減し、外壁板を反りなく係止することができ、同様に美観を向上させることができる。
したがって、本考案にかかる留め付け部材およびこれを用いた外壁施工構造によれば、外壁板と構造躯体との間に充分な通気層が確保され、そのための施工が簡易でかつ施工費用の低減が図れ、さらに、外壁板の留め付け強度が良好であり、ズレ防止効果にも優れ、目地ズレや反りをなくし美観を向上させることもできるため、その有用性はきわめて高い。
【考案を実施するための最良の形態】
【００２１】
図１から図１２に従って、本考案の最適な実施態様について説明する。
【００２２】
本考案の留め付け部材１は、図１に示すように、建築物の構造躯体２における縦材２１の配設されていない部分に左右接合部３９が配される外壁板３を、上記構造躯体２に留め付けるための部材である。
上記留め付け部材１は、図２に示すように、すくなくとも１本の縦材２１（図示せず）に固定される長尺固定板部１１を有する。
長尺固定板部１１の前面には、図２、図３に示すように、その左端部に第１留め付け部１２とその下方に設けたズレ防止の垂直立設部１３が、その右端部に第２留め付け部１４が、そして、第１および第２留め付け部１２、１４の略中間位置に第３留め付け部１５が設けてある。
【００２３】
第１留め付け部１２は、図４、図５に示すように、その下側に配される外壁板３、３の左右接合部３９における上端部３１を係止し、上側に配される外壁板３、３の下端部３２を支承するとともに係止する。
ズレ防止の垂直立設部１３は、該第１留め付け部１２の下方において、左側に配される外壁板３の右側端部（側端面３３）に当接される。
第２留め付け部１４は、図６に示すように、左右接合部３９以外の部分における外壁板３、３の上端部３１を係止し、その上側に配される外壁板３、３の下端部３２を支承するとともに係止する。
【００２４】
つぎに、本留め付け部材１の詳しい構成について説明する。
第１留め付け部１２に設ける第１通気スペーサー１７は、図７に示すように、略矩形金属板の各辺から後方へ直角に屈曲した屈曲部１７１を有する。該屈曲部１７１には、金属板を局部的に変形した補強用リブ１７２が多数形成されている。また、第１通気スペーサー１７の略中央の開口部には、バーリング加工で形成された補強用突出部１７３を形成している。
【００２５】
さらに、第１通気スペーサー１７の下側の屈曲部１７１には、排水孔１７４を形成している。排水孔１７４は、下側の屈曲部１７１の一部分を切り欠いた孔である。
【００２６】
第２留め付け部１４、第３留め付け部１５に設ける第２通気スペーサー１８も、図８に示すように、略矩形金属板の各辺から後方へ直角に屈曲した屈曲部１８１を有する。また、該屈曲部１８１には、金属板を局部的に変形した補強用リブ１８２が多数形成されている。さらに、第２通気スペーサー１８の略中央の開口部には、同じくバーリング加工で形成された補強用突出部１８３を形成している。
【００２７】
さらに、第２通気スペーサー１８の下側の屈曲部１８１にも同様に、排水孔１８４を形成している。排水孔１８４は、下側の屈曲部１８１の一部分を切り欠いた孔である。
【００２８】
そして、図１０に示すように、第１通気スペーサー１７および第２通気スペーサー１８は、それぞれ長尺固定板部１１の前面に当接状態で配設される。図７に示す屈曲部１７１および補強用突出部１７３、そして図８に示す屈曲部１８１および補強用突出部１８３は、スペーサーとしての機能を果たすため、要求される通気層の寸法に応じた前後方向の寸法（全体厚さ寸法）を有している。また、第１通気スペーサー１７および第２通気スペーサー１８は、長尺固定板部１１に当接するため、長尺固定板部１１の前方へ隆起したリブ部（後述する）と干渉しないように、また長尺固定板部１１に載置されるズレ防止用ストッパー付き留め付け金具４および留め付け金具５（後述する）と確実に当接させるために、上下方向・左右方向の寸法をそれぞれそれらに対応させている。
【００２９】
図２、図３に示すように、本留め付け部材１は、上述した第１留め付け部１２とズレ防止の垂直立設部１３とを一体成形したズレ防止用ストッパー付き留め付け金具４が長尺固定板部１１との間に第１通気スペーサー１７を挟持した状態で、かつ、上記第２留め付け部１４をなす留め付け金具５および上記第３留め付け部１５をなす留め付け金具５が長尺固定板部１１との間にそれぞれ第２通気スペーサー１８を挟持した状態で、それぞれ長尺固定板部１１の前方に固定されている。
ズレ防止用ストッパー付き留め付け金具４および留め付け金具５は、図２に示すかしめ部１６において、それぞれ第１通気スペーサー１７および第２通気スペーサー１８を挟持した状態で、長尺固定板部１１にかしめ固定されている。
【００３０】
具体的には、図１１に示すように、長尺固定板部１１とズレ防止用ストッパー付き留め付け金具４または留め付け金具５との間で、２箇所以上バーリングかしめ加工を施す。バーリングかしめ加工は、ビス固定と比較してゆるむことがなく、一度加工すると強固に固定される。バーリングかしめ加工に当たっては、まず、長尺固定板部１１の前方へ隆起した開口部と第１通気スペーサー１７の開口部とを重ね合わせ、さらに第１通気スペーサー１７の開口部とズレ防止用ストッパー付き留め付け金具４の開口部とを重ね合わせる。同様に、長尺固定板部１１の前方へ隆起した開口部と第２通気スペーサー１８の開口部とを重ね合わせ、さらに第２通気スペーサー１８の開口部と留め付け金具５の開口部とを重ね合わせる。ついで、長尺固定板部１１の開口部周辺を、ズレ防止用ストッパー付き留め付け金具４および留め付け金具５の開口部よりも前方に隆起させるとともに、第１通気スペーサー１７および第２通気スペーサー１８が挟み込まれたままズレ防止用ストッパー付き留め付け金具４および留め付け金具５を挟み込むように、開口部からはみ出した部分を前面において折り曲げ、圧着し、かしめ部１６を形成する。
【００３１】
この上記長尺固定板部１１の前方へ隆起した開口部および第１通気スペーサー１７の補強用突出部１７３、第２通気スペーサー１８の補強用突出部１８３は、第１通気スペーサー１７および第２通気スペーサー１８の局部的な変形を防止し強度をより高めるために設けられたものでもあり、加えて長尺固定板部１１への密着性を高め、ズレ防止用ストッパー付き留め付け金具４および留め付け金具５に対して外壁板から伝達される応力を長尺固定板部１１に円滑に伝達するために設けられている。
【００３２】
長尺固定板部１１には、図９に示すように、前方へ隆起した上側のリブ部１１１と下側のリブ部１１２が左右方向に複数形成されているとともに、長尺固定板部１１の下辺から前方へ直角に屈曲した下辺屈曲部１１３が形成されている（図１２参照）。これら上側のリブ部１１１・下側のリブ部１１２・下辺屈曲部１１３は、長尺固定板部１１全体の強度を高め、ズレ防止用ストッパー付き留め付け金具４および留め付け金具５に外壁板から伝達される応力を構造躯体である縦材２１に円滑に伝達するために設けられている。
また、長尺固定板部１１は、６５０ｍｍの左右長さを有する。この長さは、５００ｍｍや６１０ｍｍのモデュールにも対応できる長さである。
【００３３】
また、長尺固定板部１１において、留め付け金具５を配置する部分には、図２、図９に示すように、リブ部１１１が形成されておらず、リブ部１１２が途切れた途切れ部分１１６が設けられている。これにより、図１０に示すように、第２通気スペーサー１８は、長尺固定板部１１上に当接状態で載置され、さらに留め付け金具５は、第２通気スペーサー１８上に当接状態で載置される。また、上側のリブ部１１１は、断面略三角形状に隆起しており、上側の斜面に釘孔１１４が、左右方向に等間隔（一例を示すと１５ｍｍ間隔）に多数形成されている。
【００３４】
また、リブ部１１１とリブ部１１２との間には、左右方向に等間隔（一例を示すと１５ｍｍ間隔）に、複数のビス孔（あな）１１５が多数形成されている。このため、長尺固定板部１１が当接される柱や間柱部分に対して、留め付け部材１を確実にビス留めすることもできる。
また、下辺屈曲部１１３は、図９に示すように、長尺固定板部１１における左端近傍内側であって、ズレ防止用ストッパー付き留め付け金具４を配置する部分以外において連続して形成されている。
この下辺屈曲部１１３の近傍に第２通気スペーサー１８が載置される（図１０参照）。
【００３５】
さらに、図９、図１２に示すように、長尺固定板部１１における左端近傍内側であって、ズレ防止用ストッパー付き留め付け金具４を配置する部分においては、切り起こし部１１７が複数形成されている。第１通気スペーサー１７は、上側のリブ部１１１および下側のリブ部１１２と干渉しない位置で長尺固定板部１１上に当接状態で載置される。さらにズレ防止用ストッパー付き留め付け金具４は、第１通気スペーサー１７上に当接状態で載置される。ただし、切り起こし部１１７の前面に限っては、第１通気スペーサー１７は載置されず、ズレ防止用ストッパー付き留め付け金具４が切り起こし部１１７に直接当接状態で載置される。
【００３６】
切り起こし部１１７は、長尺固定板部１１の一部を切り欠き折り曲げ加工したものであり、ズレ防止用ストッパー付き留め付け金具４の応力を、第１通気スペーサー１７とは別の部分で、直接長尺固定板部１１に伝達させるものである。ここで仮に、切り起こし部１１７がなく、かつ、想定外の過大な応力がズレ防止用ストッパー付き留め付け金具４から第１通気スペーサー１７のみに伝達される場合、第１通気スペーサー１７とズレ防止用ストッパー付き留め付け金具４とが密着する面積が充分ではないため、ズレ防止用ストッパー付き留め付け金具４が局部的に変形するおそれがある。切り起こし部１１７を設ける目的は、この密着する面積を増やし、ズレ防止用ストッパー付き留め付け金具４の変形を防止し、強度をより高めることにある。
すなわち、より安全性を高めるために、ズレ防止用ストッパー付き留め付け金具４から伝達される応力を第１通気スペーサー１７とともに切り起こし部１１７もあわせて長尺固定板部１１に円滑に伝達させる目的のために切り起こし部１１７は設けられている。
【００３７】
なお、本明細書において、「前」とは建築物の外側方向を、「後」とは建築物の内側方向をいう。また、上記留め付け部材などに関しては、構造躯体に取り付けた状態において、「前」、「後」、「上」、「下」、「水平」、「垂直」などの表現を用いている。また、「左」、「右」に関しては、外壁を意匠面側から正面視したとき（図１、図４参照）に「左」、「右」となる方向を表している。
【００３８】
また、構造躯体は、複数の縦材を６１０ｍｍのスパンで配設している。そして、構造躯体は、一例をあげれば、木造の構造躯体であり、軸組施工構造の構造躯体、枠組施工構造の構造躯体など、種々の構造躯体とすることができる。
【００３９】
また、留め付け部材は、縦材に直接固定しても通気層を充分に確保できるが、通気層をさらに大きく確保するときは、胴縁などの下地材を介して縦材に間接的に固定してもよい。
【００４０】
また、留め付け部材を固定する構造躯体は、縦材の配設スパンを５００〜６１０ｍｍとし、長尺固定板部は、５４０〜６５０ｍｍの左右長さを有することが好ましい。
この場合には、留め付け部材をすくなくとも１本の縦材に容易に固定することができる。
また、縦材の配設スパンが６１０ｍｍを越え、１０００ｍｍ以下の場合、長尺固定板部は、１０００ｍｍ以下の左右長さを有することが好ましい。
【００４１】
さらに、外壁板としては、一例をあげれば、窯業系の外壁板とすることができる。
【００４２】
留め付け部材の材質は、溶融亜鉛−アルミニウム−マグネシウム合金めっき鋼板やステンレス鋼などの金属材料で構成される。そして、長尺固定板部と、ズレ防止用ストッパー付き留め付け金具、留め付け金具は、それぞれ鋼板を切断、折り曲げ加工などすることにより形成される。
【００４３】
また、通気スペーサーは、長尺固定板部と留め付け金具との間に挟持される固体状のものであればよく、外力（応力）が伝達されても容易に変形せず、破壊されない、または経年変化などによって劣化・腐朽などしないものであれば、金属・樹脂・硬質ゴム・セラミックなどいかなるものでもよいが、強度や耐久性などを考慮すると、例をあげれば、鉄や溶融亜鉛−アルミニウム−マグネシウム合金めっき鋼板やステンレス鋼板などの金属板またはそれら金属板を折り曲げ加工したもの、金属板を積層したものが好ましい。そして、通気スペーサーを構成する金属板の板そのものの厚さは、外力が伝達されても容易に変形・破壊されない厚さであればよく、例を示すと、鉄などの金属板の場合１ｍｍ以上が望ましい。
【００４４】
さらに、通気スペーサーの左側・右側・下側のいずれかの屈曲部またはそれらの組み合わせで、屈曲部の一部に、１以上の排水孔を設けることが望ましい。
この場合には、通気スペーサー内部に浸入した水を左右方向・下方へ排出させやすくすることができる。
ただし、長尺固定板部と通気スペーサーの裏面の大部分とが密着する場合には、排水孔と同等の働きを有する溝を通気スペーサーの裏面に下方に向かって設けることが望ましい。
【００４５】
また、長尺固定板部の切り起こし部は、長尺固定板部の一部を切り欠き折り曲げ加工を施し、留め付け金具に当接可能な形状が好ましいが、プレス加工やバーリング加工などで長尺固定板部の一部を凸形状に隆起させた形状にすることも可能である。
【００４６】
また、第１留め付け部は、長尺固定板部の一方の端部に設けてあり、第２留め付け部は、長尺固定板部の他方の端部に設けてあることが好ましい。
この場合には、留め付け部材を、より安定した状態で、外壁板の上端部および下端部に配設することができる。
【００４７】
また、留め付け部材は、第２留め付け部と同様の形状および機能を有する通気スペーサー部のある第３留め付け部を有することが好ましい。
この場合には、外壁板の留め付け強度をより向上させることができる。
【００４８】
また、長尺固定板部は、前方へ隆起したリブ部を左右方向に設けているとともに、長尺固定板部の下辺から前方へ屈曲した下辺屈曲部を設けることが好ましい。
この場合には、長尺固定板部の強度を確保することができる。
【００４９】
また、長尺固定板部の下辺屈曲部と第２通気スペーサーとの間に、隙間を設けることが望ましい。
この場合には、第２通気スペーサー内部に浸入した水が、排水孔を通って下方に流れ出た後、隙間を通って下辺屈曲部の左右方向・前方・下方へ流れ出ることにより、水の滞留を防ぎ、留め付け部材のさびの発生を抑止することができる。
【００５０】
また、長尺固定板部は、前方へ隆起した開口部を設けることが望ましい。
第１留め付け部において、長尺固定板部に第１通気スペーサーとズレ防止用ストッパー付き留め付け金具を固定する場合には、長尺固定板部の前方へ隆起した開口部と第１通気スペーサーの開口部を重ね合わせ、さらに、第１通気スペーサーの開口部とズレ防止用ストッパー付き留め付け金具の開口部を重ね合わせることにより、第１通気スペーサーとズレ防止用ストッパー付き留め付け金具の取り付けに当たって、上下・左右方向の位置合せを、これら開口部を重ね合わせることのみで容易に行うことができる。
同様に、第２留め付け部において、長尺固定板部に第２通気スペーサーと留め付け金具を固定する場合には、長尺固定板部の前方へ隆起した開口部と第２通気スペーサーの開口部を重ね合わせ、さらに、第２通気スペーサーの開口部と留め付け金具の開口部を重ね合わせることにより、第２通気スペーサーおよび留め付け金具の取り付けに当たって、上下・左右方向の位置合せを、これら開口部を重ね合わせることのみで容易に行うことができる。
【００５１】
また、留め付け部材は、第２留め付け部と同様の形状および機能を有する通気スペーサー部のある第３留め付け部を有し、第３留め付け部は、左右接合部以外の部分における外壁板の上端部を係止し下端部を支承するとともに係止していることが好ましい。
この場合には、外壁板の留め付け強度をより向上させ、耐久性に優れた外壁施工構造を得ることができる。
【００５２】
また、留め付け部材は、長尺固定板部が容易に変形しない厚さおよび形状を有し、第１留め付け部・第２留め付け部・第３留め付け部が水平・前後に一直線状に配されていることが望ましい。
この場合には、外壁板の左右接合部において、左右に隣り合う外壁板の上端部を同時に一直線状に係止し、さらに、それらの外壁板の上部に配される外壁板の下端部を一直線状に支承することにより、外壁板の目地ズレが少なく、反りなく係止することができ、美観を向上させる外壁施工構造を得ることができる。
【図面の簡単な説明】
【００５３】
【図１】実施例における外壁施工構造の正面図。
【図２】実施例における留め付け部材の正面図。
【図３】実施例における留め付け部材の底面図。
【図４】実施例における、留め付け部材の周辺の外壁施工構造の正面図。
【図５】実施例における、図２のＡ−Ａ線矢視断面相当の外壁施工構造の断面図。
【図６】実施例における、図２のＢ−Ｂ線矢視断面相当の外壁施工構造の断面図。
【図７】実施例における第１通気スペーサーを示すものであり、（Ａ）は斜視図、（ａ）は正面図、（ｂ）は下面図（底面図）、（ｃ）は右側面図、（ｄ）はＤ−Ｄ線矢視断面図、（ｅ）はＥ−Ｅ線矢視断面図、（ｆ）は裏面図である。
【図８】実施例における第２通気スペーサーを示すものであり、（ａ）は正面図、（ｂ）は下面図（底面図）、（ｃ）は右側面図、（ｄ）はＤ−Ｄ線矢視断面図、（ｅ）はＥ−Ｅ線矢視断面図、（ｆ）は裏面図である。
【図９】実施例における長尺固定板部の留め付け金具取り付け前の正面図。
【図１０】実施例における通気スペーサーの位置説明図。
【図１１】実施例における、かしめ部の説明図。
【図１２】実施例における長尺固定板部を示すものであり、（ａ）は左側側面図、（ｂ）は図９のＢ−Ｂ線矢視断面図、（ｃ）は図９のＣ−Ｃ線矢視断面図、（ｄ）は図９のＤ−Ｄ線矢視断面図である。
【図１３】従来例における、留め付け部材を用いた外壁施工構造の鉛直断面図。
【図１４】従来例における、胴縁と留め付け部材を用いた外壁施工構造の鉛直断面図。
【図１５】従来例における、留め付け部材を用いた外壁施工構造の正面図。
【符号の説明】
【００５４】
１．  留め付け部材
１１．長尺固定板部
１２．第１留め付け部
１３．ズレ防止の垂直立設部
１４．第２留め付け部
１５．第３留め付け部
１６．かしめ部
１７．第１通気スペーサー
１８．第２通気スペーサー
２．  構造躯体
２１．縦材
２２．胴縁
３．  外壁板
３１．上端部
３２．下端部
３３．側端面
３６．裏側面
３９．左右接合部
４．  ズレ防止用ストッパー付き留め付け金具
５．  留め付け金具
５１．通気留め付け金具
６．  外壁施工構造
７．  透湿防水シート
８．  通気層
９．  留め付け部材
９１．釘
【図１】
0003126444.tif 000003
【図２】
0003126444.tif 000004
【図３】
0003126444.tif 000005
【図４】
0003126444.tif 000006
【図５】
0003126444.tif 000007
【図６】
0003126444.tif 000008
【図７】
0003126444.tif 000009
【図８】
0003126444.tif 000010
【図９】
0003126444.tif 000011
【図１０】
0003126444.tif 000012
【図１１】
0003126444.tif 000013
【図１２】
0003126444.tif 000014
【図１３】
0003126444.tif 000015
【図１４】
0003126444.tif 000016
【図１５】
0003126444.tif 000017